(57)【要約】透光板４は、ストローク４０を幅方向に少なくとも２分割された部分透光部４１Ａ，４１Ｂを有し、この部分透光部４１Ａ，４１Ｂは、部位によって光の透過量をグラデーションで変化させる光透過量調整層４３Ａ，４３Ｂがそれぞれ設けられ、光透過量調整層４３Ａ，４３Ｂは、部分透光部４１Ａ，４１Ｂを分割している溝２１近傍における互いの光透過量がなるべく異なるように構成されている。これにより、平面である発光面が立体感に富む意匠性発光装置および透光部材を提供する。【選択図】  図６
2013084453.tif 000002
【特許請求の範囲】
【請求項１】
ストロークによって描かれた文字、図形、または模様を表す意匠部を有する透光性の透光部材と、
前記透光部材に光を照射する光源とを備え、
前記透光部材は、
前記ストロークを幅方向に少なくとも２分割された第１部分透光部と第２部分透光部とを有し、
前記第１部分透光部と第２部分透光部は、部位によって光の透過量をグラデーションで変化させる光透過量調整層がそれぞれ設けられ、
前記第１部分透光部の光透過量調整層と第２部分透光部の光透過量調整層は、前記第１部分透光部と前記第２部分透光部とを分割している境界部分近傍における互いの光透過量がなるべく異なるように構成された
意匠性発光装置。
【請求項２】
前記第１部分透光部と前記第２部分透光部とを分割している境界部分に分割線部が設けられている
請求項１記載の意匠性発光装置。
【請求項３】
前記分割線部は、前記透光部材に設けられた溝である
請求項２記載の意匠性発光装置。
【請求項４】
前記溝は、前記ストロークの端部または角部に向かって深さまたは幅の少なくとも一方が末広がりとなる末広がり形状部が設けられている
請求項３記載の意匠性発光装置。
【請求項５】
前記分割線部は、前記ストロークの端部付近において二股に分かれ、該端部の両角へそれぞれ分かれた先端が当接する形状である
請求項３または４記載の意匠性発光装置。
【請求項６】
前記分割線部は、前記ストロークが屈曲する屈曲部において、該屈曲部の角へ向かって枝分かれする枝分かれ部を有する形状である
請求項３、４、または５記載の意匠性発光装置。
【請求項７】
前記第１部分透光部と第２部分透光部のセットが前記ストロークの進行方向に複数設けられ、
複数の前記セットの少なくとも一部が他のセットと異なる色の前記光透過量調整層を有し、かつ、一セット内の前記第１部分透光部と第２部分透光部の各光透過量調整層の色が同一色である
請求項１から６のいずれか１つに記載の意匠性発光装置。
【請求項８】
光を透過しストローク状の発光面を形成する透光部材であって、
前記ストロークを幅方向に少なくとも２分割された第１部分透光部と第２部分透光部とを有し、
前記第１部分透光部と第２部分透光部は、部位によって光の透過量をグラデーションで変化させる光透過量調整層がそれぞれ設けられ、
前記第１部分透光部の光透過量調整層と第２部分透光部の光透過量調整層は、前記第１部分透光部と前記第２部分透光部とを分割している境界部分近傍における互いの光透過量がなるべく異なるように構成された
透光部材。
【発明の詳細な説明】
【技術分野】
【０００１】
この発明は、例えば店名やロゴの照明サインや照明広告等に利用されるような意匠性発光装置および透光部材に関する。
【背景技術】
【０００２】
従来、店名やロゴを明るく表示する照明サインや照明広告と呼ばれるような意匠性発光装置が提供されている。このような意匠性発光装置は、光源の光を前面パネルで拡散して拡散光を放出し、店名やロゴ等の意匠を明るく表示するものである。この意匠性発光装置は、視認性が高く美しいことから、ブランドの店舗の正面や入口でブランド名を表示するなど、様々な場所で利用されている。【０００３】
このような意匠性発光装置は、従来のネオンサインから始まって、近年のＬＥＤを用いたＬＥＤサインまで変化してきており、様々な意匠性が求められている。【０００４】
ここで、光を利用して装飾性を高めるものとして、発光パネル装置に用いるパネル板及びその生産方法が提案されている（特許文献１参照）。この発光パネル装置は、パネル板の裏面に凹凸構造の集まりによる発光パターンによって任意の図柄や模様などを表すものである。そして、明細書中には、網点の光源側を小面積、光源から遠い方を大面積として、グラデーションを想起させる面積の調整を行うことが記載されている。
【先行技術文献】
【特許文献】
【０００５】
【特許文献１】特開２００９−２５６６６号公報
【発明の概要】
【発明が解決しようとする課題】
【０００６】
しかし、上述の発光パネル装置は、例えばアルファベットのＡであれば、Ａの上部と下部のどちらか一方を濃くして他方を薄くするかなど、文字全体をグラデーションするにすぎないものであった。このため、上述の発光パネル装置は、文字や図形、模様といった意匠そのものの立体感は乏しいものであった。【０００７】
この発明は、上述の問題点に鑑み、発光面が立体感に富む意匠性発光装置および透光部材を提供することを目的とする。
【課題を解決するための手段】
【０００８】
この発明は、ストロークを幅方向に少なくとも２分割された第１部分透光部と第２部分透光部とを有し、前記第１部分透光部と第２部分透光部は、部位によって光の透過量をグラデーションで変化させる光透過量調整層がそれぞれ設けられ、前記第１部分透光部の光透過量調整層と第２部分透光部の光透過量調整層は、前記第１部分透光部と前記第２部分透光部とを分割している境界部分近傍における互いの光透過量がなるべく異なるように構成された透光部材を有することを特徴とする。
【発明の効果】
【０００９】
この発明により、発光面が立体感に富む意匠性発光装置および透光部材を提供することができる。
【図面の簡単な説明】
【００１０】
【図１】意匠性発光装置の分解斜視図。
【図２】意匠性発光装置の正面と内部の説明図。
【図３】意匠性発光装置の縦断面による説明図。
【図４】溝および終端溝の説明図。
【図５】光透過量調整層のグラデーションの説明図。
【図６】意匠性発光装置の発光前後を写真により表す説明図。
【図７】実施例２の意匠性発光装置の説明図。
【図８】実施例３の意匠性発光装置の説明図。
【図９】実施例４の意匠性発光装置の縦断端面を示す断面図。
【図１０】実施例５の意匠性発光装置の分解斜視図。
【図１１】その他の実施例の意匠性発光装置の説明図
【図１２】光透過量調整層のグラデーションの他の例を示す説明図。
【発明を実施するための形態】
【００１１】
本発明者らは、意匠性に優れた立体感のある意匠性発光装置を提供しようと、鋭意研究を重ねた。最初、本発明者らは、立体的に見えるようグラデーションを施せばよいと考え、凸に見せたい部分を明るく、凹に見せたい部分を暗くするようなグラデーションで実験した。しかし、そのようなグラデーションは、紙等に印刷して反射光で見る限りでは立体的に見えるものの、透光部材に印刷して光を透過させてみると立体感が非常に乏しくなるものであった。
【００１２】
そこで、本発明者らは、様々な工夫をし、鋭意研究を重ねた結果、光を透過させて正面を発光面とする状態ではっきりと立体感を認識できる意匠性発光装置を完成させた。
【００１３】
この意匠性発光装置の特徴は、透光部材におけるストロークを少なくとも第１部分透光部と第２部分透光部とに分割し、前記第１部分透光部の光透過量調整層と第２部分透光部の光透過量調整層が、前記第１部分透光部と前記第２部分透光部とを分割している境界部分近傍における互いの光透過量がなるべく異なるように構成された点である。
【００１４】
なお、ストローク（英語：ｓｔｒｏｋｅ）とは、文字を構成する１画１画、図形または模様を構成する線など、文字、図形、または模様を構成する幅を有する線を指す。  
また、「第１部分透光部と前記第２部分透光部とを分割している境界部分近傍における互いの光透過量がなるべく異なる」とは、異なる部分を有していることを指し、境界部分全体の半分以上において互いの光透過量が異なっていることが好ましく、境界部分全体の８割以上が異なっていることがより好ましい。  
以下、この発明の一実施形態を図面と共に説明する。
【実施例１】
【００１５】
この発明の意匠性発光装置は、様々な文字、図形、模様について適用できるが、実施例１では、一例としてセリフフォントの一種であるローマン体の文字「Ｄ」を例にとって説明する。【００１６】
図１は、正面左下から見た意匠性発光装置１の分解斜視図を示し、図２（Ａ）は、意匠性発光装置１の正面図を示し、図２（Ｂ）は、意匠性発光装置１の内部を表す正面図を示す。【００１７】
図１に示すように、意匠性発光装置１は、カバー筐体となるケーシング２，３と、透光部材としての透光板４（透光パネル）と、拡散部材としての拡散板５（拡散パネル）と、光遮断部材としての収納筐体６とで主に構成されている。【００１８】
透光板４および拡散板５は、同じサイズの文字、図形、又は模様の形状に切り取られた板形状であり、この実施例１では「Ｄ」形状に形成されている。【００１９】
透光板４は、透明のアクリル板により形成されている。なお、透光板４は、アクリル板に限らず、ガラス板やプラスチック板等、光を透過する適宜の素材の板状部材により形成することができる。また、透光板４は、透明が好ましいが、半透明とすることもできる。【００２０】
透光板４の厚みは、拡散板５よりも厚く形成されている。この実施例では、１文字の大きさを約２６ｃｍ角としており、ストロークの幅広部分が７０ｍｍ〜７５ｍｍ程度であり、透光板４の厚みを８ｍｍとしている。つまり、意匠を構成するストロークの中心的な幅に対する厚みの割合は、約９：１程度となっている。同じ意匠サイズで厚みを５ｍｍとし、ストロークの幅と厚みの割合を約１５：１程度とすることも可能であるが、立体感を出す上で厚い方が好ましく、先の割合程度に肉厚である方が好ましい。【００２１】
すなわち、意匠を構成するストロークの中心的な幅と透光板４の厚みの割合は、おおむね２０：１より肉厚であることが好ましく、さらにはおおむね１５：１より肉厚であることが好ましく、おおむね１０：１より肉厚であることがより好ましい。この実施例１では、好ましい範囲としておおむね８：１から１０：１の範囲に入る９：１程度としている。【００２２】
なお、ここで言う意匠を構成するストロークの中心的な幅とは、ローマン体や明朝体といった幅の変化する書体であれば主に縦線となる太い線の幅を指し、ゴシック体であれば１画の幅を指し、図形や模様であればそれらを描く線のうち比較的多くの部分を占める太い線の幅を指す。【００２３】
この透光板４が、文字や図形や模様を構成する意匠部として機能する。また、透光板４の正面（表面）が、背面側から正面側へ透過する光によって発光して視認される発光面として機能する。【００２４】
拡散板５は、乳白色の半透明の板状に形成されており、透光板４より薄く形成されている。【００２５】
収納筐体６は、背面部６ａが透光板４および拡散板５と同じ形状であり、この背面部６ａの側端辺から正面に向かって直角に起立する深さ一定の側面部６ｂが設けられている。従って、収納筐体６は、透光板４および拡散板５と同じ形状の開口６ｃを正面に有し、側面部６ｂと背面部６ａによって正面以外が覆われる容器状に形成されている。【００２６】
収納筐体６の側面部６ｂ内側の正面近傍位置には、複数の係止突起６ｄが設けられている。この係止突起６ｄは、拡散板５を収納筐体６内に落ち込まないように係止する。【００２７】
ケーシング２，３は、透光板４および拡散板５より正面視すると若干大きい形状に形成されている。ケーシング２，３は、深さ一定の側面部２ａ，３ａと、該側面部２ａ，３ａの正面端部から透光板４および拡散板５側へ直角に屈曲する一定幅の縁部２ｂ，３ｂで構成されている。側面部２ａ，３ａは、収納筐体６より一回り大きく形成され、収納筐体６の深さより浅く形成されている。従って、ケーシング２，３は、収納筐体６の正面側に透光板４および拡散板５が重ねて配置された状態の上から蓋の如く被せられる。これにより、透光板４および拡散板５が位置ずれ等しないように安定して固定される。なお、側面部２ａ，３ａは、収納筐体６と同じ深さに形成してもよい。これにより、側面に側面部２ａ，３ａと収納筐体６の段差が現れない形状にできる。【００２８】
このようにして、収納筐体６の正面に拡散板５が配置され、その上に透光板４が重ねられて、ケーシング２，３が被せられると、図２（Ａ）の正面図に示すように文字、図形、模様を表す意匠性発光装置１が完成する。【００２９】
図２（Ｂ）の収納筐体６の正面図に示すように、収納筐体６の背面部６ａ付近には、反射板６ｅが全面に設けられている。この反射板６ｅは、ステンレスや合金等の適宜の素材による板状部材で形成され、正面に光沢のある白色塗装（白色印刷を含む）が施されている。この白色塗装は、光を反射する反射面として機能する。【００３０】
反射板６ｅの正面側には、複数の光源９が設けられている。図示する光源９は、ＬＥＤであるが、これに限らずネオン管、発光部を有するフレキシブル基板、または発光部の光を導光する導光板等、適宜の光源を利用することができる。【００３１】
また、光源９は、図示省略する配線により接続されており、図示省略する電源から電源供給を受けて発光する。なお、反射板６ｅと光源９と配線は、図１では図示省略されている。【００３２】
図３（Ａ）は、図２（Ａ）におけるＡ−Ａ切断端面を示す断面図であり、図３（Ｂ）は、この端面図における溝２１近傍の拡大断面図である。【００３３】
図３（Ａ）に示すように、収納部６の側面部６ｂの内面は、反射面６ｆが設けられている。この反射面６ｆは、光沢のある白色塗装によって形成されている。また、反射面６ｆと反射板６ｅによって囲まれる空間は、光反射空間１１として機能する。なお、反射面６ｆと反射板６ｅは、白色に限らず適宜の色とすることができる。また、反射面６ｆと反射板６ｅは、塗装に限らず印刷とする、あるいは反射フィルムで構成するなど、適宜の構成とすることができる。【００３４】
従って、光源９から発せられた光は、側面位置の反射面６ｆと背面位置の反射板６ｅとにより、光反射空間１１内で様々な方向に反射される。これにより、拡散板５には、光源９からの直接光と、反射面６ｆや反射板６ｅによる反射光が入射する。つまり、拡散板５には、様々な方向からの面光が入射する。【００３５】
拡散板５は、入射した光を拡散して透過する。従って、光源９が発光した状態のとき、拡散板５は、白く光って視認される。この拡散板５を透過した光は、面光となる。【００３６】
透光板４は、背面側に分割線部としての溝２１が設けられている。溝２１は、適宜の形状とすることができるが、図３（Ｂ）に示すように、この実施例１では台形状としている。従って、透光板４の背面から屈曲して凹となる外縁２１ｂと、凹となった最深部で屈曲する底縁２１ａとが形成されている。【００３７】
この溝２１の幅となる外縁２１ｂ，２１ｂの距離は、溝２１の深さである外縁２１ｂから底縁２１ａまでの鉛直距離より長く形成されている。言い換えると、溝２１は、９０度より鋭角の略Ｖ字型の刃物によって透光板４を削ることで形成され、幅方向の長さより深さ方向の長さが長くなるよう形成されている。【００３８】
また、この溝２１により、透光板４の背面は、部分透光部４１Ａ，４１Ｂに分割されている。部分透光部４１Ａ，４１Ｂには、それぞれ光透過量調整層４３Ａ，４３Ｂが設けられている。この光透過量調整層４３Ａ，４３Ｂは、同一色で形成され、この実施例では白色塗装（白色印刷を含む）によって形成されている。光透過量調整層４３Ａ，４３Ｂを形成する白色塗装は、それぞれグラデーション（英語：ｇｒａｄａｔｉｏｎ）の向きや濃度が異なっている。また、光透過量調整層４３Ａ，４３Ｂは、部分透光部４１Ａ，４１Ｂを超えて溝２１の背面まで延長して設けられている。これにより、溝２１内にも光透過量調整層４３Ａ，４３Ｂが設けられている。なお、光透過量調整層４３Ａ，４３Ｂは、部分透光部４１Ａ，４１Ｂだけとし、溝２１の背面には別途の光透過量調整層を設ける構成としてもよい。この場合、別途の光透過量調整層は、グラデーションの白色塗装としてもよいが、グラデーションの無い濃度一定の白色塗装としてもよい。このように、溝２１内にも光透過量調整層を設けることで、溝２１は、他の部分透光部４１Ａ，４１Ｂに近い色に見える。【００３９】
なお、溝２１は、白色塗装（白色印刷）を行わず、溝２１部分が透明となる構成にしてもよい。この場合、溝２１だけが多くの光と透過して強く光って見え、新たな美感を提供することができる。【００４０】
溝２１は、図２（Ａ）の正面図に示すように、文字、図形または模様を表すストローク４０（４０Ａ，４０Ｂ）の内側でこのストローク４０に沿って形成されている。【００４１】
詳述すると、実施例１の意匠性発光装置１は、右側に凸となる略半円系のストローク４０Ａ（１画）と、縦方向に一直線のストローク４０Ｂ（１画）の２つのストローク４０（２画）で構成される文字「Ｄ」を表している。そして、溝２１は、ストローク４０の幅方向の中心位置、すなわち中点を通るように形成されており、ストローク４０と同じような形状となるように形成されている。ストローク４０Ａ，４０Ｂが接触もしくは交差する接続点４０Ｃでは、溝２１も接触若しくは交差する接続点２１ｃが設けられている。【００４２】
また、この実施例１ではセリフフォントを用いているため、溝２１がセリフ部分４ａにも連続して設けられている。このセリフ部分４ａの端部付近において、溝２１は、枝分かれ部２３（図４（Ａ）参照）で二本の終端溝２２に枝分かれし、終端溝２２の終端がそれぞれセリフの角部４ｂ（図４（Ａ）参照）に到達している。【００４３】
図４（Ａ）は、図２（Ａ）に示した図示上側のセリフ部分４ａの拡大正面図を示し、図４（Ｂ）は、図４（Ａ）のＢ−Ｂ切断端面で切断した断面図を示す。  
図４（Ａ）に示すように、透光板４のストローク４０部分に設けられている溝２１は、深さ及び幅が一定になるように形成されている。そして、セリフ部分４ａの角部４ｂに向かって枝分かれした終端溝２２は、枝分かれ部から終端へ向かって徐々に深く幅広になるように形成されて末広がり形状部となっている。すなわち、終端溝２２の底縁２２ａは、角部４ｂへ向かって幅が変わらずに溝が枝分かれ部２３側の深さＤ１（図４（Ｂ）参照）から角部側の深さＤ２へ徐々に深くなっていく。また、終端溝２２の外縁２２ｂは、枝分かれ部２３側の幅Ｗ１（図４（Ａ）参照）から角部４ｂ側の幅Ｗ２に向かって徐々に幅広となっていくように形成されている。【００４４】
図５（Ａ）は、透光板４の背面に設けられた光透過量調整層４３（４３Ａ〜４３Ｅ）の分解正面図であり、図５（Ｂ）は、光透過量調整層４３（４３Ａ〜４３Ｅ）の正面図である。【００４５】
図５（Ａ）に示すように、光透過量調整層４３Ａ〜４３Ｅは、それぞれ個別のグラデーションが行われている。図示する例では、光透過量調整層４３Ａは、右が暗く（暗Ｄ）左が明るく（明Ｌ）なるように水平方向のグラデーションが施されている。光透過量調整層４３Ｂは、光透過量調整層４３Ａとは逆に右が明るく（明Ｌ）左が暗く（暗Ｄ）なるように水平方向のグラデーションが施されている。光透過量調整層４３Ｃは、光透過量調整層４３Ｂと同じく右が明るく（明Ｌ）左が暗く（暗Ｄ）なるように水平方向のグラデーションが施されている。光透過量調整層４３Ｄ，４３Ｅは、光透過量調整層４３Ｃと同じく右が明るく（明Ｌ）左が暗く（暗Ｄ）なるように水平方向のグラデーションが施されている。【００４６】
これらのグラデーションは、白色塗料の塗装量の濃淡を網点で調整することによって実現されている。なお、この図５でも網点（ハーフトーン）により濃淡を表示しているが、この網点の角度やサイズは図面用に見やすくしたものであり、実際に印刷するものとは異なっている。【００４７】
各光透過量調整層４３Ａ〜４３Ｅのグラデーションの方向や濃度は、境界線部となる溝２１や終端溝２２（図４（Ａ）参照）を挟んで明暗の差がなるべく大きくなるように適宜設定されている。すなわち、境界線部となる溝２１や終端溝２２を挟んで隣り合う光透過量調整層４３Ａ〜４３Ｅは、第１部分透光部と第２部分透光部として機能する。【００４８】
また、各光透過量調整層４３Ａ〜４３Ｅのグラデーションの濃度は、全面塗りつぶしを１００％、塗りつぶし無しを０％として、最も濃い（暗い）部分が約７５％以下となるように調整されており、最も濃い（暗い）部分が約６５％以下となるように調整することがより好ましい。【００４９】
以上の意匠性発光装置１により、平面であるはずの透光板４が山型（凸型）または谷型（凹型）に立体加工されているかのごとく見える立体感に富む任意の文字、図形、模様を提供することができる。【００５０】
すなわち、光源９の発光前の意匠性発光装置１は、図６（Ａ）の写真に示すように、平面の透光板４の背面（裏面）に光透過量調整層４３Ａ，４３Ｂが設けられることが良くわかる状態で立体感に乏しく見える。これに対して、光源９を発光させて透光板４の表面が発光面となった意匠性発光装置１は、図６（Ｂ）の写真に示すように平面の透光板４があたかも谷型若しくは山型に立体的に加工されているかの如く立体的に見える。【００５１】
光源９からの光は、反射板６ｅ及び反射面６ｆで反射され、この反射光と直接光が拡散板５で拡散されて、面光となる。この光源９、反射板６ｅ及び反射面６ｆ、及び拡散板５が、面光を照射する光照射部として機能する。この光照射部からの面光は、透光板４を厚み方向に透過する。その際に、光透過量調整層４３Ａ〜４３Ｅにより、部位によって透過する光の量が調整され、平面の透光板４は、人に立体的に視認される。【００５２】
透光板４は、肉厚に形成されており、光透過量調整層４３Ａ〜４３Ｅがグラデーションで光透過量を変化させる。このため、透光板４は、あたかも透光板４の肉厚分だけ手前から奥へ凹（ストロークの側端辺が凸で中心線が凹）となっているような立体感、あるいは透光板４の肉厚分だけ奥から手前へ凸（ストロークの側端辺が凹で中心線が凸）となっているような立体感で人に認識される。【００５３】
光透過量調整層４３Ａ〜４３Ｅの境界部分には、溝２１や終端溝２２が設けられているため、境界部分が明瞭に視認され、立体感を増幅させることができる。【００５４】
また、意匠性発光装置１は、溝２１や終端溝２２にも光透過量調整層４３Ａ〜４３Ｅあるいは同様の白色塗装が行われているため、溝２１や終端溝２２だけが明るく光るようなことがなく、違和感のない美しい見た目を提供することができる。【００５５】
また、意匠性発光装置１は、透光板４に光が入射する段階で反射や拡散等によって面光となっているため、光透過量調整層４３Ａ〜４３Ｅによるグラデーションを不備なく美しく見せることができ、確実に立体的に見せることができる。【００５６】
また、終端溝２２は、二股部分から終端に向かって深く広く彫り込まれていることにより、立体感をより明瞭にすることができる。【００５７】
このようにして立体感に富む意匠性発光装置１は、これまでに無い見た目を与えることができ、高級感のある意匠性発光装置１として提供することができる。【００５８】
なお、意匠性発光装置１は、係止突起６ｄを備えない構成にしてもよい。この場合、意匠性発光装置１は、側面部６ｂの上面の縁までの大きさと透光板４および拡散板５の大きさを同一とし、側面部６ｂの上に透光板４および拡散板５が乗る形状に形成すると良い。この場合でも、同一の作用効果を得ることができる。
【実施例２】
【００５９】
図７は、実施例２の意匠性発光装置１０１を説明する説明図である。この意匠性発光装置１０１は、図７（Ａ）の正面図に示すように、実施例１における透光板４の正面（溝２１及び終端溝２２の反対側の面）に強調溝１２６を設けて透光板１０４とし、透光板１０４と拡散板５の間にカラーフィルタ１０８（図７（Ｂ）参照）を設けたものであり、それ以外の構成は実施例１と同一である。このため、同一の構成要素に同一符号を付し、詳細な説明を省略する。【００６０】
カラーフィルタ１０８は、透光板１０４または拡散板５と同一形状で、これらより肉薄のフィルム状の色付き透明フィルタである。色は、ベージュや青色、黄色、オレンジ色、緑色、紫色等、適宜の色であり、グラデーションの無い同一濃度の一色である。【００６１】
強調溝１２６は、透光板１０４の端辺から一定距離の間隔をあけて該端辺に沿って設けられている。言い換えると、強調溝１２６は、透光板１０４を構成しているストローク１４０（１４０Ａ，１４０Ｂ）に沿って端部に２本設けられている。【００６２】
図７（Ｂ）に示す図７（Ａ）のＣ−Ｃ切断端面の断面図に示すように、強調溝１２６は、意匠性発光装置１０１が完成した状態でケーシング２，３の縁部２ｂ，３ｂの端辺に強調溝１２６の外側端が一致若しくは近接する位置に形成されている。これにより、縁部２ｂ，３ｂの端辺からまっすぐ強調溝１２６に落ち込むような溝が形成される。【００６３】
以上の構成により、実施例１と同じ効果を有し、実施例１よりさらに立体的な意匠性発光装置１を提供することができる。特に、透光板１０４の正面または裏面に設ける光透過量調整層４３のグラデーションを、奥から手前に凸（ストロークの側端辺が凹で中心線が凸）と見えるように調整した場合に、ストロークの側端辺が奥に落ち込む（凹とする）ように見せる効果を強調溝１２６が強調し、非常に立体的な意匠性発光装置１０１を提供することができる。【００６４】
また、カラーフィルタ１０８により、任意の色に発光する意匠性発光装置１０１を提供することができる。【００６５】
なお、カラーフィルタ１０８を設けない構成としてもよい。この場合は、光源９の色（例えば白色）での発光を行うことができ、特に奥から手前に凸（ストロークの側端辺が凹で中心線が凸）と見える立体感を強調した意匠性発光装置１０１を提供することができる。【００６６】
また、このカラーフィルタ１０８は、実施例１の透光板４と拡散板５の間に設けても良い。この場合、実施例１のタイプにて任意の色に発光する意匠性発光装置１を提供することができる。
【実施例３】
【００６７】
図８（Ａ）は、特殊発光樹脂を用いたルミレター（登録商標）と呼ばれる意匠性発光装置２０１の縦断端面を示す断面図である。【００６８】
この意匠性発光装置２０１は、実施例２の意匠性発光装置１０１と光源のタイプが異なっているだけであり、他の構成は実施例２の意匠性発光装置１０１と同一である。このため、同一の構成要素に同一符号を付し、詳細な説明を省略する。【００６９】
ケーシング２，３の底辺近傍には、背面のほぼ全体を覆う背面板２０６ａが設けられている。背面板２０６ａの正面側には、基板２１５が設けられ、この基板２１５に光源２１６が設けられている。【００７０】
基板２１５の正面側とケーシング２，３で覆われる空間には、この空間をほぼ全体的に埋める特殊発光樹脂２１８が設けられている。特殊発光樹脂２１８は、乳化剤または拡散剤が入ったアクリルであり、光を拡散する拡散部材として機能する。この光源２１６と特殊発光樹脂２１８が面光を照射する光照射部として機能する。【００７１】
この構成により、光源２１６から照射された光が特殊発光樹脂２１８で拡散して面光となり、カラーフィルタ１０８および透光板４に面光として入光する。【００７２】
図８（Ｂ）は、この意匠性発光装置２０１によりゴシック体の文字「Ｄ」を作成した場合の正面図を示す。ゴシック体にはセリフ部分がないため、角部４ｂに向かって溝が深く幅広になる終端溝２２が設けられている。【００７３】
図８（Ｃ）は、この意匠性発光装置２０１により星形図形を作成した場合の正面図を示す。この場合は、中心から５つのストローク２４０が放射状に配置された図形であり、このストローク２４０が先端に向かって先細りして鋭角を形成している。従って、ストローク２４０に沿って溝２１が設けられており、ストローク２４０とストローク２４０の隣り合う部分に角部４ｂに向かって溝が深く幅広になる終端溝２２が設けられている。なお、溝２１および終端溝２２は、終端溝２２を溝２１として全て溝２１で構成する、あるいは溝２１を終端溝２２として全て終端溝２２で構成するなど、適宜の構成とすることもできる。【００７４】
以上の構成により、実施例１と同一の効果を得ることができ、かつ、カラーフィルタ１０８によって任意の色に発光させて立体的に見せることができる。また、カラーフィルタ１０８を除けば、実施例１と同一の効果を得ることができ、実施例２のような強調溝１２６を設ければ、実施例２と同一の効果を得ることができる。【００７５】
なお、この実施例３ではゴシック体や星形図形としたが、実施例１に示したようなセリフフォントとしても良い。また逆に、実施例１，２にてゴシック体は星形図形を形成してもよい。
【実施例４】
【００７６】
図９は、実施例３で説明した意匠性発光装置２０１からケーシング２，３を省略した意匠性発光装置３０１の縦断端面を示す断面図である。この意匠性発光装置３０１は、カラーフィルタ１０８も省略し、特殊発光樹脂２１８の上面（光源２１６と反対側の面）に透光板４が接着により直接固定されている。特殊発光樹脂２１８と透光板４は、視認方向（図示の上方）から見た形状および大きさが同一となるように構成されている。その他の構成は、実施例３と同一であるため、同一要素に同一符号を付して詳細な説明を省略する。【００７７】
この実施例４の意匠性発光装置３０１も、実施例１と同一の効果を得ることができる。さらに、意匠性発光装置３０１は、側面が特殊発光樹脂２１８であるため、側面からも面光を発光することもできる。なお、意匠性発光装置３０１は、特殊発光樹脂２１８と透光板４の間に実施例３と同様のカラーフィルタ１０８を備えても良い。この場合、実施例３と同一の効果を得ることができる。
【実施例５】
【００７８】
図１０は、実施例５の意匠性発光装置４０１の分解斜視図である。この意匠性発光装置４０１は、ケーシング４０２と、透光板４０４と、拡散板４０５と、光源４０９とが上からこの順に重ね合わせて構成されている。【００７９】
ケーシング４０２は、光を通さない金属の板であり、文字、模様、または図形を表す意匠穴４０２ａが形成されている。図に例示している意匠穴４０２ａは、“ＤＡＩＫ”のアルファベット４文字の形状に形成されている。【００８０】
透光板４０４と拡散板４０５は、それぞれ実施例１の透光板４および拡散板５と同一の構成であるため、その詳細な説明を省略する。なお、拡散板４０５は、厚みのあるブロック状の拡散部材である。【００８１】
光源４０９は、例えば板状の導光板の側面の発光体（ＬＥＤ等）で構成するなど、少なくとも意匠穴４０２ａ全体を裏面（図示下方）から表面（図示上方）を全体的に照らす適宜の面光源で構成する。【００８２】
その他の構成は、実施例１で説明した溝２１、終端溝２２、ストローク４０、および光透過量調整層４３が備えられるなど、実施例１と同一の構成を有するため、その詳細な説明を省略する。  
以上の構成により、切り文字の場合でも実施例１と同一の効果を得ることができる。
【実施例６】
【００８３】
図１１は、他の実施例の説明図であり、図１１（Ａ）は、実施例６の意匠性発光装置５０１の正面図、図１１（Ｂ）は実施例６の意匠性発光装置５０１の図１１（Ａ）におけるＡ−Ａ矢視端面図を示す。【００８４】
図１１（Ａ）に示すように、意匠性発光装置５０１は、光を遮断する金属性（たとえばステンレス）のケーシング５０２と、ケーシング５０２に設けられた意匠穴５０２ａから正面側へ突出する位置に配置された透光板５０４が設けられている。透光板５０４の側面は、シルバーメタリック塗装がなされるなど、適宜の塗装がなされている。【００８５】
図１１（Ｂ）に示すように、透光板５０４の裏面側には、正面視が透光板５０４と同一形状の拡散板５０５ａが設けられ、その裏面側に拡散板５０５ａより面積の広い拡散板５０５ｂが設けられている。なお、拡散板５０５ａの側面は、透光板５０４の側面と同じ塗装であってもよい。【００８６】
拡散板５０５ｂのさらに裏面側は、透光板５０４の全体よりも広い面積に渡って導光板５０９ｂが設けられている。導光板５０９ｂの一端辺の近傍には、ＬＥＤ等による発光体５０９ａが導光板５０９ｂ内へ光を通すように配置されている。【００８７】
その他の構成は、実施例１で説明した溝２１、終端溝２２、ストローク４０、および光透過量調整層４３が備えられるなど、実施例１と同一の構成を有するため、その詳細な説明を省略する。【００８８】
以上の構成により、意匠性発光装置５０１は、発光体５０９ａから照射された光が導光板５０９ｂによって透光板５０４および導光板５０９ａ，５０９ｂに対して裏面から表面への面光となって照射され、実施例１と同一の効果を奏することができる。
【実施例７】
【００８９】
図１１（Ｃ）は、実施例７の意匠性発光装置６０１の図１１（Ａ）におけるＡ−Ａ矢視端面図である。この意匠性発光装置６０１の正面図は、図１１（Ａ）と同一になる。  
意匠性発光装置６０１は、石材で形成されるケーシング６０２を有している。ケーシング６０２は、文字、図形、または模様を表す意匠穴６０２ａが正面から裏面へ貫通して形成されている。【００９０】
意匠穴６０２ａ内には、正面から順に透光板６０４、拡散板６０５ａ、および透光板６０７が設けられている。透光板６０４、拡散板６０５ａ、および透光板６０７は、意匠穴６０２ａと同一形状であり、透光板６０４がケーシング６０２より正面側へ突出するように構成されている。【００９１】
透光板６０４、拡散板６０５ａ、および透光板６０７の側面と、ケーシング６０２の裏面における意匠穴６０２ａ周辺は、白大理石調塗装６９０が設けられている。なお、透光板６０４、拡散板６０５ａ、および透光板６０７と白大理石調塗装６９０との間、およびケーシング６０２の裏面と白大理石調塗装６９０の間は、わかりやすいようにするために隙間があるように図示されているが、実際には隙間なく当接している。【００９２】
ケーシング６０２の裏面には、少なくとも意匠穴６０２ａよりも大きい拡散板６０５ｂが鍋ビス６９１でビス止めされている。【００９３】
拡散板６０５ｂの裏面には、正面側へ向かって面光を照射する光源６９２が設けられている。【００９４】
その他の構成は、実施例１で説明した溝２１、終端溝２２、ストローク４０、および光透過量調整層４３が備えられるなど、実施例１と同一の構成を有するため、その詳細な説明を省略する。  
以上の構成により、意匠性発光装置６０１は、実施例１と同一の効果を奏することができる。
【実施例８】
【００９５】
図１１（Ｄ）は、実施例８の透光板７０４の正面図である。この実施例８の透光板７０４は、グラデーションに複数色を用いている点がこれまでの実施例と異なっている。【００９６】
すなわち、この実施例８では、透光板７０４に設けられる光透過量調整層７４３（７４３Ａ〜７４３Ｍ）が、２色で配色されている。  
すなわち、光透過量調整層７４３Ａ，７４３Ｂ、７４３Ｆ，７４３Ｇ、７４３Ｋ，７４３Ｌ，７４３Ｍは、第１色でグラデーションに塗装され、残りの光透過量調整層７４３Ｃ，７４３Ｄ、７４３Ｅ，７４３Ｈ、７４３Ｉ，７４３Ｊは、第２色でグラデーションに塗装されている。この配色は、ストローク方向の光透過量調整層７４３の区切りに従って、第１色と第２色が交互に切り替わる構成となっている。【００９７】
この第１色と第２色は、例えば第１色が明るい色、第２色が第１色と同系色で明度の低い暗い色とすることができる。これにより、第１色部分は手前に浮き上がったように人に視認され、第２色部分は奥まったように人に視認される。【００９８】
光透過量調整層７４３の各層の境目となる溝７２１と終端溝７２２、および、各色におけるグラデーションの濃度調整は、実施例１と同一であるので、その詳細な説明を省略する。また、ケーシングや拡散板や光源は、これまでの実施例１〜８のいずれかのものを用いればよいため、その詳細な説明を省略する。【００９９】
以上の構成により、実施例８の透光板７０４を有する意匠性発光装置は、実施例１〜７と同一の効果を得られるとともに、さらに立体的に見せることができる。  
また、第１色と第２色で、グラデーションの濃度調整を山型（凸型）と谷型（凹型）に変化させれば、グラデーションによる立体感と配色による立体感の相乗効果で非常に立体的に見せることができる。【０１００】
なお、この相乗効果は、第１色と第２色のうち明度の高い方を山型（凸型）、明度の低い方を谷型（凹型）とすることで最大に高めることができるが、山形と谷型を逆にしてもよい。逆の場合でも第１色部分と第２色部分で凹凸が切り替わる立体的な視覚効果を得ることができる。【０１０１】
以上８つの実施例をもとに説明したが、この発明は、上述の実施形態の構成のみに限定されるものではなく、多くの実施の形態を得ることができる。【０１０２】
例えば、図１２（Ａ）の透光板４の背面に設けられた光透過量調整層４３（４３Ａ〜４３Ｅ）の分解正面図、図１２（Ｂ）の光透過量調整層４３（４３Ａ〜４３Ｅ）の正面図に示すように、実施例１で示したグラデーションとはグラデーションの濃度（明Ｌ，中間Ｍ，暗Ｄ）や方向が異なるように構成することができる。【０１０３】
この他にも、光透過量調整層４３は、複数の光透過量調整層４３の境界部分（溝２１や終端溝２２の隣接部分）における互いの光透過量がなるべく異なるように構成すればよく、グラデーションの方向を異ならせる、塗装濃度を異ならせる等により光透過量を異ならせる、同方向のグラデーションを隣接させる、グラデーションの濃度傾斜（明るい部分から暗い部分への光透過量の傾斜）を異ならせる等、適宜の構成を採用することができる。このような場合でも、上述した各実施例と同様の効果を得ることができる。【０１０４】
また、文字や図形、模様を表す正面を発光面として立体的に見えるように透光板４と光透過量調整層４３を設けたが、これに限らず、文字や図形、模様を表す意匠の側面に透光板４と光透過量調整層４３を設けても良い。この場合、例えば実施例３に説明したルミレター（登録商標）を用いて、光透過量調整層４３を有する透光板４を特殊発光樹脂２１８の側面に設けると良い。このようにすることで、側面を立体的に見えるよう発光させることができる。【０１０５】
また、光透過量調整層４３は、透光板４の背面側に設けたが、これに限らず透光板４の正面側に設ける構成としてもよく、溝２１や終端溝２２も透光板４の正面側に設ける構成としてもよい。このように構成しても、上述した各実施例と同様、立体的に見せることができる。なお、この場合は、光透過量調整層４３を保護するべく、さらに正面側に重ねて透明塗料を塗って保護する、あるいは正面側に透明の保護板を配置するなど、適宜の構成とすることができる。【０１０６】
また、光透過量調整層４３は、白色等の適宜の塗料による塗装としたが、これに限らず、サンドブラスト等の凹凸加工とする等、光の透過量をグラデーションに変化させる適宜の層とすることができる。【０１０７】
また、溝２１及び終端溝２２は、Ｖ字溝（先端は平たい台形状の溝）に限らず、Ｕ字溝や他の形状の溝とするなど、適宜の溝にすることができる。この場合も上述した実施例と同様に立体感のある意匠性発光装置１，１０１，２０１を提供することができる。【０１０８】
また、溝２１及び終端溝２２を設けず、溝２１及び終端溝２２と同じ位置に境界線を描く塗装を行うこともできる。この場合、塗装の色は光透過量調整層４３と同じ色とすることが好ましく、塗装の濃度は適宜の濃度とすればよい。これにより、溝２１及び終端溝２２を設ける場合に若干劣るものの、溝の作成コストを削減した安価で立体感のある意匠性発光装置１，１０１，２０１を提供することができる。【０１０９】
また、溝２１及び終端溝２２や変わりの境界線の塗装を全く設けず、光透過量調整層４３を境界部分で隙間なく隣接させる構成とすることもできる。この場合、近づいてみると立体感が乏しくなるものの、ある程度の立体感のある意匠性発光装置１，１０１，２０１を提供することができる。【０１１０】
また、透光板４の全体が文字や図形や模様といった意匠を構成するように、透光板４の形状そのものを意匠の形状としたが、これに限らず、大きな透光板４に光透過量調整層４３と溝２１及び終端溝２２により意匠（ストロークによる意匠）を描くこともなし得る。この場合、太陽光や照明光等の適宜の光を照射すれば、光透過量調整層４３と溝２１及び終端溝２２で描かれた意匠（意匠部）が立体的に見える意匠製作物を提供することができる。【０１１１】
また、溝２１をストロークのなるべく中点に設ける構成としたが、これに限らず、ストロークの幅内の任意の位置に設ける構成とすることもできる。この場合、最も凸あるいはもっとも凹と見える部分がストロークの中点とは異なる位置となる立体的な意匠性発光装置１，１０１，２０１を提供することができる。
【産業上の利用可能性】
【０１１２】
この発明は、店名やロゴの照明サインや照明広告等に用いることができる他、ストロークによって描かれた意匠を光によって視認させる適宜の意匠性照明製作物に利用することができる。
【符号の説明】
【０１１３】
１，１０１，２０１，３０１，４０１，５０１，６０１…意匠性発光装置
２，３，４０２，５０２，６０２…ケーシング
４，１０４…透光板
９…光源
２１…溝
２２…終端溝
２３…枝分かれ部
４０（４０Ａ，４０Ｂ），１４０，２４０…ストローク
４１Ａ，４１Ｂ…部分透光部
４３（４３Ａ〜４３Ｅ）…光透過量調整層
【図１】
2013084453.tif 000003
【図２】
2013084453.tif 000004
【図３】
2013084453.tif 000005
【図４】
2013084453.tif 000006
【図５】
2013084453.tif 000007
【図６】
2013084453.tif 000008
【図７】
2013084453.tif 000009
【図８】
2013084453.tif 000010
【図９】
2013084453.tif 000011
【図１０】
2013084453.tif 000012
【図１１】
2013084453.tif 000013
【図１２】
2013084453.tif 000014
【国際調査報告】
2013084453.tif 000015
2013084453.tif 000016
2013084453.tif 000017
2013084453.tif 000018